(57)【要約】【課題】デコーダへの入力信号（多重信号）をオフ状態にする選択スイッチを不要化し、もってコスト削減を図ること。【解決手段】受信装置１は、チューナ１２ａおよび１２ｂによって検波されるデコード用信号が相互に干渉するか否かを監視するチューナ管理部２８と、チューナ管理部２８によってデコード用信号が相互に干渉すると検知された場合に、チューナ１２ａまたは１２ｂが検波する信号の周波数をチューナ１２ｂまたは１２ａによって検波されるデコード用信号と干渉しない周波数に設定する周波数設定部１３ｂと、周波数設定部１３ｂによって検波する信号の周波数が設定されるとともに、定常時のＲＦ信号の利得に比較してＲＦ信号の利得を低くするように制御するＲＦ信号利得制御部１３ｃとを備える。【選択図】        図１
2005184534.tif 000002
【特許請求の範囲】
【請求項１】
受信電波から所望の周波数のデコード用信号を検波する複数のチューナを備えた受信装置であって、
複数のチューナによって検波されるデコード用信号が相互に干渉するか否かを監視する監視手段と、
前記監視手段によってデコード用信号が相互に干渉すると検知された場合に、所定のチューナが検波する信号の周波数を他のチューナによって検波されるデコード用信号と干渉しない周波数に設定する周波数設定手段と、
を備えたことを特徴とする受信装置。
【請求項２】
前記周波数設定手段は、前記監視手段によってデコード用信号が相互に干渉すると検知された場合に、所定のチューナが検波する信号の周波数を多重信号が含まれない周波数帯域に設定することを特徴とする請求項１に記載の受信装置。
【請求項３】
前記周波数設定手段は、前記監視手段によってデコード用信号が相互に干渉すると検知された場合に、所定のチューナが検波する信号の周波数を無線放送が受信できない周波数帯域に設定することを特徴とする請求項１または２に記載の受信装置。
【請求項４】
チューナからの検波出力を増幅する増幅回路を備え、
前記周波数設定手段によって検波する信号の周波数が設定されるとともに、前記増幅回路の利得を低くするように制御する利得制御手段をさらに備えたことを特徴とする請求項１、２または３に記載の受信装置。
【請求項５】
前記増幅回路が高周波増幅回路であることを特徴とする請求項４に記載の受信装置。
【請求項６】
受信電波から所望の周波数のデコード用信号を検波するチューナであって、
デコーダへの入力信号をオフ状態にする指示を当該チューナに対する周波数設定指示と解釈して受け付ける指示受付手段と、
前記指示受付手段によって周波数設定指示を受け付けた場合に、当該チューナが検波する信号の周波数を他のチューナによって検波されるデコード用信号と干渉しない周波数に設定する周波数設定手段と、
を備えたことを特徴とするチューナ。
【請求項７】
前記周波数設定手段は、前記指示受付手段によって周波数設定指示を受け付けた場合に、当該チューナが検波する信号の周波数を多重信号が含まれない周波数帯域に設定することを特徴とする請求項６に記載のチューナ。
【請求項８】
前記周波数設定手段は、前記指示受付手段によって周波数設定指示を受け付けた場合に、当該チューナが検波する信号の周波数を無線放送が受信できない周波数帯域に設定することを特徴とする請求項６または７に記載のチューナ。
【請求項９】
定常時のＲＦ信号の利得制御は、受信電波の強度をもとに行われるものであって、
前記周波数設定手段によって検波する信号の周波数が設定されるとともに、定常時のＲＦ信号の利得に比較してＲＦ信号の利得を低くするように制御するＲＦ信号利得制御手段をさらに備えたことを特徴とする請求項６、７または８に記載のチューナ。
【請求項１０】
複数のチューナから出力されるデコード用信号を統括して管理するチューナ管理装置であって、
複数のチューナから出力されるデコード用信号が相互に干渉するか否かを監視する監視手段と、
前記監視手段によってデコード用信号が相互に干渉すると検知された場合に、少なくとも一つのチューナに対して、該チューナが検波する信号の周波数を他のチューナによって検波されるデコード用信号と干渉しない周波数に設定するように指示する検波周波数設定指示手段と、
を備えたことを特徴とするチューナ管理装置。
【請求項１１】
前記検波周波数設定指示手段は、前記監視手段によってデコード用信号が相互に干渉すると検知された場合に、少なくとも一つのチューナに対して、該チューナが検波する信号の周波数を多重信号が含まれない周波数帯域に設定するように指示することを特徴とする請求項１０に記載のチューナ管理装置。
【請求項１２】
前記検波周波数設定指示手段は、前記監視手段によってデコード用信号が相互に干渉すると検知された場合に、少なくとも一つのチューナに対して、該チューナが検波する信号の周波数を無線放送が受信できない周波数帯域に設定するように指示することを特徴とする請求項１０または１１に記載のチューナ管理装置。
【発明の詳細な説明】
【技術分野】
【０００１】
本発明は、受信電波から所望の周波数のデコード用信号を検波する複数のチューナを備えた受信装置、受信電波から所望の周波数のデコード用信号を検波するチューナ、および、複数のチューナから出力されるデコード用信号を統括して管理するチューナ管理装置に関し、特に、デコーダへの入力信号（多重信号）をオフ状態にする選択スイッチを不要化し、もってコスト削減を図ることができる受信装置、チューナおよびチューナ管理装置に関する。
【背景技術】
【０００２】
従来より、ＦＭ放送局などによってなされる多重放送は、主番組とは別の音声、文字若しくは番組コードなどの多重信号を現在のＦＭ放送に含めて放送するものであり、各種の新しいサービスを提供しようとするものである。
【０００３】
ところが、かかる多重放送の受信を行う受信装置では、受信電波より得られるベースバンド信号から主番組とは別の音声、文字若しくは番組コードなどの多重信号（コンポジット信号）を抽出し、該抽出された多重信号をデコーダに入力することとなるが、複数のチューナからの出力信号（デコード用信号）を既存の出力表示装置（例えば、車載用のナビゲーション装置）で統括するように受信装置を構成した場合、かかる多重信号がデコーダに入力されると、他のチューナから入力されるデコード用信号と干渉して受信品質を低下させてしまう。
【０００４】
そこで、特許文献１に開示されたＦＭ多重放送受信装置では、ＦＭ放送の音声信号に多重化された多重信号を受信するか否かを選択する選択スイッチを受信装置内に設置し、他のデコーダ用信号と干渉し得る場合に、かかる選択スイッチを切り替えてデコーダへの入力信号（多重信号）をオフ状態にすることで、他のデコーダ用信号との干渉を防止し、もって受信品質を向上させることを可能にしている。
【０００５】
【特許文献１】特開平１０−１０７６６４号公報
【発明の開示】
【発明が解決しようとする課題】
【０００６】
しかしながら、上記の従来技術（特許文献１）では、デコーダへの入力信号をオフ状態にする選択スイッチを新たに設置せねばならず、かかる選択スイッチの設置に伴ってコストパフォーマンスが低下してしまうという問題点があった。具体的には、複数のチューナからの出力信号（デコード用信号）を既存の出力表示装置（例えば、車載用のナビゲーション装置）で統括するように受信装置が構成されることは、個々のチューナの製造段階では想定されていない。このため、複数のチューナを備えた受信装置を構成する際には、受信装置として本来的に必要でない機能であるにも関わらず、受信品質を維持するためにデコーダへの入力信号（多重信号）をオフ状態にする選択スイッチを新たに設置せねばならなかった。
【０００７】
そこで、本発明は、上述した従来技術による問題点を解消するためになされたものであり、デコーダへの入力信号（多重信号）をオフ状態にする選択スイッチを不要化し、もってコスト削減を図ることができる受信装置、チューナおよびチューナ管理装置を提供することを目的とする。
【課題を解決するための手段】
【０００８】
上述した課題を解決し、目的を達成するために、請求項１の発明に係る受信装置は、受信電波から所望の周波数のデコード用信号を検波する複数のチューナを備えた受信装置であって、複数のチューナによって検波されるデコード用信号が相互に干渉するか否かを監視する監視手段と、前記監視手段によってデコード用信号が相互に干渉すると検知された場合に、所定のチューナが検波する信号の周波数を他のチューナによって検波されるデコード用信号と干渉しない周波数に設定する周波数設定手段と、を備えたことを特徴とする。
【０００９】
また、請求項２の発明に係る受信装置は、請求項１の発明において、前記周波数設定手段は、前記監視手段によってデコード用信号が相互に干渉すると検知された場合に、所定のチューナが検波する信号の周波数を多重信号が含まれない周波数帯域に設定することを特徴とする。
【００１０】
また、請求項３の発明に係る受信装置は、請求項１または２の発明において、前記周波数設定手段は、前記監視手段によってデコード用信号が相互に干渉すると検知された場合に、所定のチューナが検波する信号の周波数を無線放送が受信できない周波数帯域に設定することを特徴とする。
【００１１】
また、請求項４の発明に係る受信装置は、請求項１、２または３の発明において、チューナからの検波出力を増幅する増幅回路を備え、前記周波数設定手段によって検波する信号の周波数が設定されるとともに、前記増幅回路の利得を低くするように制御する利得制御手段をさらに備えたことを特徴とする。
【００１２】
また、請求項５の発明に係る受信装置は、請求項４の発明において、前記増幅回路が高周波増幅回路であることを特徴とする。
【００１３】
また、請求項６の発明に係るチューナは、受信電波から所望の周波数のデコード用信号を検波するチューナであって、デコーダへの入力信号をオフ状態にする指示を当該チューナに対する周波数設定指示と解釈して受け付ける指示受付手段と、前記指示受付手段によって周波数設定指示を受け付けた場合に、当該チューナが検波する信号の周波数を他のチューナによって検波されるデコード用信号と干渉しない周波数に設定する周波数設定手段と、を備えたことを特徴とする。
【００１４】
また、請求項７の発明に係るチューナは、請求項６の発明において、前記周波数設定手段は、前記指示受付手段によって周波数設定指示を受け付けた場合に、当該チューナが検波する信号の周波数を多重信号が含まれない周波数帯域に設定することを特徴とする。
【００１５】
また、請求項８の発明に係るチューナは、請求項６または７の発明において、前記周波数設定手段は、前記指示受付手段によって周波数設定指示を受け付けた場合に、当該チューナが検波する信号の周波数を無線放送が受信できない周波数帯域に設定することを特徴とする。
【００１６】
また、請求項９の発明に係るチューナは、請求項６、７または８の発明において、定常時のＲＦ信号の利得制御は、受信電波の強度をもとに行われるものであって、前記周波数設定手段によって検波する信号の周波数が設定されるとともに、定常時のＲＦ信号の利得に比較してＲＦ信号の利得を低くするように制御するＲＦ信号利得制御手段をさらに備えたことを特徴とする。
【００１７】
また、請求項１０の発明に係るチューナ管理装置は、複数のチューナから出力されるデコード用信号を統括して管理するチューナ管理装置であって、複数のチューナから出力されるデコード用信号が相互に干渉するか否かを監視する監視手段と、前記監視手段によってデコード用信号が相互に干渉すると検知された場合に、少なくとも一つのチューナに対して、該チューナが検波する信号の周波数を他のチューナによって検波されるデコード用信号と干渉しない周波数に設定するように指示する検波周波数設定指示手段と、を備えたことを特徴とする。
【００１８】
また、請求項１１の発明に係るチューナ管理装置は、請求項１０の発明において、前記検波周波数設定指示手段は、前記監視手段によってデコード用信号が相互に干渉すると検知された場合に、少なくとも一つのチューナに対して、該チューナが検波する信号の周波数を多重信号が含まれない周波数帯域に設定するように指示することを特徴とする。
【００１９】
また、請求項１２の発明に係るチューナ管理装置は、請求項１０または１１の発明において、前記検波周波数設定指示手段は、前記監視手段によってデコード用信号が相互に干渉すると検知された場合に、少なくとも一つのチューナに対して、該チューナが検波する信号の周波数を無線放送が受信できない周波数帯域に設定するように指示することを特徴とする。
【発明の効果】
【００２０】
本発明に係る受信装置は、複数のチューナによって検波されるデコード用信号が相互に干渉するか否かを監視し、デコード用信号が相互に干渉すると検知された場合に、所定のチューナが検波する信号の周波数を他のチューナによって検波されるデコード用信号と干渉しない周波数に設定することとしたので、デコーダへの入力信号（多重信号）をオフ状態にする選択スイッチを不要化し、もってコスト削減を図ることが可能な受信装置が得られるという効果を奏する。
【００２１】
また、本発明によれば、デコード用信号が相互に干渉すると検知された場合に、所定のチューナが検波する信号の周波数を多重信号が含まれない周波数帯域に設定することとしたので、多重信号が含まれない無線放送の受信を許容しつつ、検波する信号の周波数をデコード用信号が相互に干渉しない周波数に設定することが可能な受信装置が得られるという効果を奏する。
【００２２】
また、本発明によれば、デコード用信号が相互に干渉すると検知された場合に、所定のチューナが検波する信号の周波数を無線放送が受信できない周波数帯域に設定することとしたので、検波する信号の周波数を一元的に設定することが可能な受信装置が得られるという効果を奏する。
【００２３】
また、本発明によれば、チューナからの検波出力を増幅する増幅回路を備え、検波する信号の周波数が設定されるとともに、増幅回路の利得を低くするように制御することとしたので、妨害波の増幅を軽減することができ、受信帯域の信号に与える隣接妨害を軽減することが可能な受信装置が得られるという効果を奏する。
【００２４】
また、本発明によれば、増幅回路が高周波増幅回路であることとしたので、高周波（ＲＦ）信号に伴って増幅される妨害波の増幅を軽減することができ、受信帯域の高周波（ＲＦ）信号に与える隣接妨害を軽減することが可能な受信装置が得られるという効果を奏する。
【００２５】
また、本発明によれば、デコーダへの入力信号をオフ状態にする指示を当該チューナに対する周波数設定指示と解釈して受け付け、周波数設定指示を受け付けた場合に、当該チューナが検波する信号の周波数を他のチューナによって検波されるデコード用信号と干渉しない周波数に設定することとしたので、デコーダへの入力信号をオフ状態にする指示を新たな制御信号に変更せずとも選択スイッチを不要化し、もってコスト削減を図ることが可能なチューナが得られるという効果を奏する。
【００２６】
また、本発明によれば、周波数設定指示を受け付けた場合に、当該チューナが検波する信号の周波数を多重信号が含まれない周波数帯域に設定することとしたので、多重信号が含まれない無線放送の受信を許容しつつ、検波する信号の周波数を他のチューナによって検波されるデコード用信号と相互に干渉しない周波数に設定することが可能なチューナが得られるという効果を奏する。
【００２７】
また、本発明によれば、周波数設定指示を受け付けた場合に、当該チューナが検波する信号の周波数を無線放送が受信できない周波数帯域に設定することとしたので、検波する信号の周波数を一元的に設定することが可能なチューナが得られるという効果を奏する。
【００２８】
また、本発明によれば、検波する信号の周波数が設定されるとともに、定常時のＲＦ信号の利得に比較してＲＦ信号の利得を低くするように制御することとしたので、ＲＦ信号に伴って増幅される妨害波の増幅を軽減することができ、受信帯域のＲＦ信号に与える隣接妨害を軽減することが可能なチューナが得られるという効果を奏する。
【００２９】
また、本発明によれば、複数のチューナから出力されるデコード用信号が相互に干渉するか否かを監視し、デコード用信号が相互に干渉すると検知された場合に、少なくとも一つのチューナに対して、該チューナが検波する信号の周波数を他のチューナによって検波されるデコード用信号と干渉しない周波数に設定するように指示することとしたので、既存のチューナの構成を変更せずともデコーダへの入力信号をオフ状態にする選択スイッチを不要化し、もってコスト削減を図ることが可能なチューナ管理装置が得られるという効果を奏する。
【００３０】
また、本発明によれば、デコード用信号が相互に干渉すると検知された場合に、少なくとも一つのチューナに対して、該チューナが検波する信号の周波数を多重信号が含まれない周波数帯域に設定するように指示することとしたので、多重信号が含まれない無線放送の受信を許容しつつ、検波する信号の周波数をデコード用信号が相互に干渉しない周波数に設定指示することが可能なチューナ管理装置が得られるという効果を奏する。
【００３１】
また、本発明によれば、デコード用信号が相互に干渉すると検知された場合に、少なくとも一つのチューナに対して、該チューナが検波する信号の周波数を無線放送が受信できない周波数帯域に設定するように指示することとしたので、検波する信号の周波数を一元的に設定指示することが可能なチューナ管理装置が得られるという効果を奏する。
【発明を実施するための最良の形態】
【００３２】
以下に添付図面を参照して、本発明に係るラジオ受信器から出力されるデコード用信号を統括して管理する車載用のナビゲーション装置（チューナ管理装置）に当該ラジオ受信器（チューナ）を適用した場合における受信装置の好適な実施例を詳細に説明する。なお、以下では、本発明に係る受信装置の概要および特徴を説明した後に、本発明に係る処理動作の開始条件を説明し、その後、本実施例１および２に係る受信装置を説明し、最後に、他の実施例として種々の変形例（実施例３）を説明することとする。
【００３３】
（概要および特徴）
まず最初に、本発明に係る受信装置の概要および特徴を説明する。図１は、本実施例１に係る受信装置の構成を示すブロック図である。同図に示すように、この受信装置１は、概略的に、受信電波から所望の周波数のデコード用信号を検波するラジオ受信器１０（チューナ１２ａおよび１２ｂ）を備え、チューナ１２ａおよび１２ｂからの出力信号（デコード用信号）を車載ナビゲーション装置２０に入力する。
【００３４】
一方、車載ナビゲーション装置２０は、概略的に、ラジオ受信器１０（チューナ１２ａおよびチューナ１２ｂ）からの出力信号（デコード用信号）を統括し、該統括されたデコード用信号から出力表示すべき情報を利用者からの入力に応じて決定する出力表示装置であり、大まかな処理動作として、ラジオ受信器１０から入力された音声信号、多重信号（コンポジット信号）をデコーダ２７ａまたは２７ｂで復調し、音声出力制御部２２または表示制御部２４を介して音声出力部２３または表示部２５で出力する。
【００３５】
ここで、本発明に係る受信装置１は、複数のチューナによって検波されるデコード用信号が相互に干渉するか否かを監視し、デコード用信号が相互に干渉すると検知された場合に、所定のチューナが検波する信号の周波数を他のチューナによって検波されるデコード用信号と干渉しない周波数に設定する「周波数設定処理」に主たる特徴があり、かかる「周波数設定処理」によって、デコーダへの入力信号（多重信号）をオフ状態にする選択スイッチを不要化し、もってコスト削減を図ることができるようにしている。
【００３６】
この主たる特徴を具体的に説明すると、受信装置１は、チューナ１２ａおよびチューナ１２ｂによって検波されるデコード用信号が相互に干渉すると検知された場合（例えば、チューナ１２ａで音声信号が検波され、チューナ１２ｂで多重信号を多重された音声信号が検波される場合）に、チューナ１２ｂが検波する信号の周波数をチューナ１２ａによって検波されるデコード用信号と干渉しない周波数に設定する。このように構成することで、既存の受信制御でデコーダへの入力信号を「ＯＦＦ」状態にすることができるようにしている。
【００３７】
したがって、上記した従来技術のように、デコーダへの入力信号（多重信号）をオフ状態にする選択スイッチを新たに設置し、該選択スイッチを切り替えることによってデコーダへの入力信号（多重信号）をオフ状態にするのではなく、所定のチューナが検波する信号の周波数を他のチューナによって検波されるデコード用信号と干渉しない周波数に設定し、既存の受信制御でデコーダへの入力信号を「ＯＦＦ」状態にすることとしたので、上記した主たる特徴のように、デコーダへの入力信号（多重信号）をオフ状態にする選択スイッチを不要化し、もってコスト削減を図ることが可能になる。
【００３８】
また、本発明に係る受信装置では、上記の主たる特徴に関連して以下に列挙するような特徴も付加的に有するものである。つまり、本発明では、デコード用信号が相互に干渉すると検知された場合に、所定のチューナが検波する信号の周波数を多重信号が含まれない周波数帯域に設定することとしたので、多重信号が含まれない無線放送の受信を許容しつつ、検波する信号の周波数をデコード用信号が相互に干渉しない周波数に設定することが可能になる。
【００３９】
また、本発明に係る受信装置では、デコード用信号が相互に干渉すると検知された場合に、所定のチューナが検波する信号の周波数を無線放送が受信できない周波数帯域に設定する。このように、検波する信号の周波数を無線放送が受信できない周波数帯域に設定すれば、デコード用信号が相互に干渉することが在り得ないため、検波する信号の周波数を一元的に設定することが可能になる。
【００４０】
また、本発明に係る受信装置では、検波する信号の周波数が設定されるとともに、定常時のＲＦ信号の利得に比較してＲＦ信号の利得を低くするように制御することとしたので、ＲＦ信号に伴って増幅される妨害波の増幅を軽減することができ、受信帯域のＲＦ信号に与える隣接妨害を軽減することが可能になる。
【００４１】
（本発明に係る処理動作の開始条件）
次に、本発明に係る処理動作の開始条件について説明する。本発明に係る「周波数設定処理」は、複数のチューナによって検波されるデコード用信号が相互に干渉する場合に、開始されることとなる。そこで、複数のチューナによって検波されるデコード用信号が相互に干渉する主な要因となる多重信号（コンポジット信号）を説明するために、ＦＭ多重放送について説明する。図２は、ＦＭ多重放送の周波数スペクトラムを示す図である。ＦＭ多重放送は、図２に示すような信号配列の情報を放送局に割り当てられた所定の周波数に変換して送信される。
【００４２】
これを具体的に説明すると、ＦＭ放送の占有帯域幅は、±１００ｋＨｚと定められており、現在のＦＭ放送のステレオ信号は、５３ｋＨｚまでの帯域を利用しているので、ＦＭ多重信号には、この周波数を越えて１００ｋＨｚまでの周波数帯域を用いている。すなわち、ステレオ信号Ｌ＋Ｒは、０〜１５ｋＨｚの周波数帯域を使用し、パイロット信号は、１９ｋＨｚの周波数を使用し、ステレオ信号Ｌ−Ｒは、２３〜５３ｋＨｚの周波数帯域を使用し、多重信号は、７６ｋＨｚを中心とする周波数帯域をそれぞれ使用している。また、多重信号のビットレートは、１６ｋｂｐｓ（ＬＭＳＫ）である。
【００４３】
この多重信号は、受信電波より得られるベースバンド信号から抽出された主番組とは別の音声、文字若しくは番組コードなどの表示用信号（コンポジット信号）であり、かかる多重信号（コンポジット信号）が他のデコード用信号と干渉し得る状況として、大きく分けて、２つのケースが考えられる。第一に、ラジオ受信器が複数のチューナを具備するとしたとき、多重信号およびデコード用信号がデコーダに入力されると、多重信号およびデコード用信号が相互に干渉するケース（実施例１）が考えられる。例えば、ラジオ受信器が２つのチューナを具備するとしたとき、一方のチューナからデコーダへ音声信号が入力され、もう一方のチューナからデコーダへ多重信号が入力されると干渉するケースが挙げられる。
【００４４】
第二に、ラジオ受信器のチューナからデコーダへ入力される多重信号と、他の受信器（例えば、ＴＶ受信器やＥＴＣなどの機器）のチューナからデコーダへ入力されるデコード用信号とが相互に干渉するケース（実施例２）が考えられる。例えば、ＴＶ受信器のチューナからデコーダへテレビ信号（コンポジットビデオ信号）が入力され、ラジオ受信器のチューナからデコーダへＶＩＣＳ信号が入力されると干渉するケースが挙げられる。
【実施例１】
【００４５】
本実施例１では、デコーダへの入力信号をオフ状態にする指示を当該チューナに対する周波数設定指示と解釈して受け付け、周波数設定指示を受け付けた場合に、当該チューナが検波する信号の周波数を他のチューナによって検波されるデコード用信号と干渉しない周波数に設定するラジオ受信器について説明する。
【００４６】
このラジオ受信器１０は、概略的に、アンテナ１１と接続され、アンテナ１１より受信された受信電波から所望の周波数のデコード用信号を検波する２つのチューナを有する受信器であり、アンテナ１１と、チューナ１２ａ、チューナ１２ｂと、ＣＰＵ１３とを備える。
【００４７】
チューナ１２ａおよびチューナ１２ｂ（以下、適宜これらをチューナ１２と言う。）は、ＣＰＵ１３による指示に応じて、アンテナ１１より入力された高周波（ＲＦ）信号を増幅した後、所望の周波数の信号を検波し、該検波された信号の周波数を中間周波数に変換し、該変換された中間周波数の信号（ＩＦ信号）を中間周波数増幅する。このようにして、図２に示した信号配列の信号すなわちベースバンド信号（デコード用信号）が得られることとなる。
【００４８】
ＣＰＵ１３は、車載ナビゲーション装置２０による指示に基づいてチューナ１２を制御する処理部であり、各種の処理手順などを規定したプログラムおよび所要データを格納するための内部メモリを有し、これらによって種々の処理を実行する。特に本発明に密接に関連するものとしては、機能概念的に、指示受付部１３ａと、周波数設定部１３ｂおよびＲＦ信号利得制御部１３ｃを備える。
【００４９】
このうち、指示受付部１３ａは、チューナ管理部２８によるデコーダ２７（以下、適宜、デコーダ２７ａおよびデコーダ２７ｂをデコーダ２７と言う。）への入力信号をオフ状態にする指示を当該チューナ１２に対する周波数設定指示と解釈して受け付ける。例えば、チューナ１２ａからデコーダ２７ａへ音声信号が入力されている時に、チューナ１２ｂからデコーダ２７ｂへ多重信号を入力するように（入力部２１を介して利用者から）指示がなされた場合に、チューナ管理部２８からデコード用信号「ＯＦＦ」指示（デコーダ２７ｂへの入力信号を「ＯＦＦ」状態にする指示）を受けて、かかるデコード用信号「ＯＦＦ」指示をチューナ１２ｂに対する「周波数設定処理」の動作指示と解釈する。
【００５０】
このように、デコード用信号「ＯＦＦ」指示を「周波数設定処理」の動作指示と解釈するようにしたので、デコーダへの入力信号を「ＯＦＦ」状態にする選択スイッチに代えて「周波数設定処理」を行う際に、車載ナビゲーション装置２０から出力されるデコード用信号「ＯＦＦ」指示（デコーダへの入力信号を「ＯＦＦ」状態にする指示）を新たな制御信号に変更せずとも「周波数設定処理」を行うことができるようにしている。
【００５１】
周波数設定部１３ｂは、チューナ１２が検波する信号の周波数を設定する処理部である。具体的には、指示受付部１３ａによって「周波数設定処理」の動作指示を受け付けた場合に、チューナ１２ｂが検波する信号の周波数を他のチューナによって検波されるデコード用信号と干渉しない周波数に設定する。
【００５２】
すなわち、周波数設定部１３ｂは、チューナ１２ｂが検波する信号の周波数を多重信号が含まれない周波数帯域（多重信号が含まれない無線放送が行われている周波数帯域）に設定する。このようにして、多重信号が含まれない無線放送の受信を許容しつつ、検波する信号の周波数を他のチューナによって検波されるデコード用信号と相互に干渉しない周波数に設定することができるようにしている。また、車載ナビゲーション装置２０から自車が走行中の地域におけるラジオチャンネル情報を受信して、チューナ１２ｂが検波する信号の周波数を無線放送が行われていない周波数帯域に設定するようにしても良い。
【００５３】
また、周波数設定部１３ｂは、チューナ１２ｂが検波する信号の周波数を無線放送が受信できない周波数帯域（例えば、日本においては、７６．０ＭＨｚ〜９０．０ＭＨｚ以外の周波数帯域）に設定する。このように、検波する信号の周波数を無線放送が受信できない周波数帯域に設定すれば、他のデコード用信号と相互に干渉することが在り得ないため、検波する信号の周波数を一元的に設定することが可能になる。
【００５４】
ＲＦ信号利得制御部１３ｃは、周波数設定部１３ｂによって検波する信号の周波数が設定されるとともに、定常時のＲＦ信号の利得に比較してＲＦ信号の利得を低くするように制御する。すなわち、定常時のＲＦ信号の利得制御は、アンテナ１１によって受信された受信電波の強度をもとに行われるが、チューナ１２によって検波されるデコード用信号が相互に干渉する場合、チューナ１２においてＲＦ信号の増幅率を落としてアンテナ１１の感度を低くする。このようにして、ＲＦ信号に伴って増幅される妨害波の増幅を軽減し、受信帯域のＲＦ信号に与える隣接妨害を軽減することができるようにしている。
【００５５】
一方、車載ナビゲーション装置２０は、概略的に、ラジオ受信器１０（チューナ１２）からの出力信号（デコード用信号）を統括し、該統括されたデコード用信号から出力表示すべき情報を利用者からの入力に応じて決定する出力表示装置であり、入力部２１、音声出力制御部２２と、音声出力部２３と、表示制御部２４と、表示部２５と、主制御部２６とを備える。
【００５６】
入力部２１は、各種の情報を入力するタッチパネルや指示ボタンなどの指示入力手段であり、具体的には、受信する無線放送（周波数）の設定の受付などを行う。また、音声出力部２３は、スピーカなどの音声出力手段であり、具体的には、デコーダ２７ａおよび／または２７ｂによって復調された音声信号を音声出力制御部２２を介して出力する。
【００５７】
表示部２５は、ディスプレイなどの出力表示手段であり、具体的には、デコーダ２７ａおよび／または２７ｂによって復調された多重信号（文字情報や番組コードなどの表示データ）を表示制御部２４を介して表示する。
【００５８】
主制御部２６は、車載ナビゲーション装置２０の全体を制御する処理部であり、本発明に関連するものとしては、デコーダ２７ａと、デコーダ２７ｂと、チューナ管理部２８とを制御する。このうち、デコーダ２７ａおよびデコーダ２７ｂは、デコーダ用信号に多重信号が含まれない場合、ラジオ受信器１０（チューナ１２）から入力された音声信号を復調し、チューナ管理部２８に出力する。また、デコーダ用信号に多重信号が含まれる場合、デコード用信号から所定の帯域フィルタを用いて多重信号を抽出し、該抽出された多重信号を復調する。なお、音声信号または多重信号に誤りがあれば、信号に付加して送られてくる誤り訂正符号を用いて誤り訂正処理が行われることとなる。
【００５９】
チューナ管理部２８は、ラジオ受信器１０（チューナ１２）からの出力信号（デコード用信号）を統括して管理する処理部であり、具体的には、チューナ１２によって検波されるデコード用信号が相互に干渉するか否かを監視しつつ、デコード用信号の中から出力表示すべき情報を利用者からの入力に応じて決定する。例えば、チューナ１２ａからデコーダ２７ａへ音声信号が入力されている時に、チューナ１２ｂからデコーダ２７ｂへ多重信号が入力されるように指示がなされた場合（すなわち、チューナ１２ｂで多重信号を含む無線放送を受信する指示入力を（入力部２１を介して）受け付けた場合）に、デコード用信号「ＯＦＦ」指示（デコーダ２７ｂへの入力信号を「ＯＦＦ」状態にさせる指示）をＣＰＵ１３に出力する。なお、本実施例においては、デコーダを２つ設けているが、これに限らす、２つのチューナに対し、デコーダを兼用させる構成でも良い。その時は、チューナとデコーダとの間に切替スイッチ等を設けて、デコーダに接続するチューナを切り替える構成にすれば良い。
【００６０】
次に、本実施例１に係る指示受付部１３ａ、周波数設定部１３ｂおよびＲＦ信号利得制御部１３ｃの具体的な処理内容について説明する。図３は、本実施例１に係る周波数設定処理の手順を示すフローチャートである。この処理は、複数のチューナによって検波されるデコード用信号が相互に干渉する場合に開始されるものであり、例えば、チューナ１２ａからデコーダ２７ａへ音声信号が入力されている時に、チューナ１２ｂで多重信号を含む無線放送を受信する指示入力を（入力部２１を介して）受け付けた場合に、車載ナビゲーション装置２０におけるチューナ管理部２８からデコード用信号「ＯＦＦ」指示（デコーダ２７ｂへの入力信号を「ＯＦＦ」状態にさせる指示）が出力されることとなる。
【００６１】
ここで、指示受付部１３ａは、チューナ管理部２８からデコード用信号「ＯＦＦ」指示（デコーダ２７ｂへの入力信号を「ＯＦＦ」状態にする指示）を受けたならば（ステップＳ３０１「ＯＦＦ」）、かかるデコード用信号「ＯＦＦ」指示をチューナ１２ｂに対する「周波数設定処理」の動作指示と解釈して受け付ける（ステップＳ３０２）。そして、周波数設定部１３ｂは、指示受付部１３ａによって「周波数設定処理」の動作指示を受けて、チューナ１２ｂが検波する信号の周波数を無線放送が受信できない周波数（例えば、「７５.６Ｍｈｚ」）に設定する（ステップＳ３０３）。
【００６２】
一方、チューナ管理部２８からデコード用信号「ＯＮ」指示（デコーダ２７への入力信号を「ＯＮ」状態にする指示）を受け付けた場合（ステップＳ３０１「ＯＮ」）、デコード用信号「ＯＦＦ」指示を受け付けるまで待機受付する。
【００６３】
続いて、ＲＦ信号利得制御部１３ｃは、定常時のＲＦ信号の利得に比較してＲＦ信号の利得を低くするように制御する（ステップＳ３０４）。具体的には、チューナ１２ｂにおいてＲＦ信号の増幅率を落とし、アンテナ１１の感度を低くして、ＲＦ信号に伴って増幅される妨害波の増幅を軽減する。
【００６４】
なお、上記のステップＳ３０３およびＳ３０４の処理（周波数設定処理およびＲＦ信号利得制御処理）は、チューナ管理部２８からデコード用信号「ＯＮ」指示（デコーダ２７ｂへの入力信号を「ＯＮ」状態にする指示）を受け付けるまで、継続して行われることとなる。
【００６５】
上述してきたように、本実施例１に係るラジオ受信器（チューナ）によれば、デコーダへの入力信号をオフ状態にする指示を当該チューナに対する周波数設定指示と解釈して受け付け、周波数設定指示を受け付けた場合に、当該チューナが検波する信号の周波数を他のチューナによって検波されるデコード用信号と干渉しない周波数に設定するように構成したので、デコード用信号「ＯＦＦ」指示（デコーダへの入力信号を「ＯＦＦ」状態にする指示）を新たな制御信号に変更せずとも選択スイッチを不要化し、もってコスト削減を図ることが可能になる。
【００６６】
また、本実施例１に係るラジオ受信器によれば、チューナが検波する信号の周波数を無線放送が受信できない周波数帯域に設定することとしたので、検波する信号の周波数を一元的に設定することが可能になる。
【００６７】
また、本実施例１に係るラジオ受信器によれば、検波する信号の周波数が設定されるとともに、定常時のＲＦ信号の利得に比較してＲＦ信号の利得を低くするように制御することとしたので、ＲＦ信号に伴って増幅される妨害波の増幅を軽減することができ、受信帯域のＲＦ信号に与える隣接妨害を軽減することが可能になる。
【実施例２】
【００６８】
本実施例２では、ラジオ受信器のチューナからデコーダへ入力される多重信号と、テレビ受信器のチューナからデコーダへ入力されるデコード用信号とが相互に干渉する場合に、チューナ１２ａが検波する信号の周波数をチューナ３２によって検波されるデコード用信号と干渉しない周波数に設定する受信装置について説明する。なお、図４は、本実施例２に係る受信装置の構成を示すブロック図である。
【００６９】
ここで、本発明では、他の機器（本実施例２では、テレビ受信器３０）のチューナからのデコード用信号に対して広範囲に干渉する多重信号（本実施例２では、ＶＩＣＳ信号）が、デコーダに入力されることを防止する点に主眼を置いているため、デコーダ２７ａへの入力信号（ＶＩＣＳ信号）を「ＯＦＦ」状態にするラジオ受信器１０について説明する。なお、デコーダ２７ｃへの入力信号（テレビ信号）を「ＯＦＦ」状態にするテレビ受信器３０については、実施例３（種々の変形例）にて説明する。
【００７０】
本実施例２に係る指示受付部１３ａ、周波数設定部１３ｂおよびＲＦ信号利得制御部１３ｃの具体的な処理内容について説明する。なお、本実施例２に係る周波数設定処理の動作は、機能概念的に、実施例１と同様であるため、図３を再び引用して説明する。
【００７１】
この処理は、実施例１と同様に、複数のチューナによって検波されるデコード用信号が相互に干渉する場合に開始されるものであり、例えば、テレビ受信器３０におけるチューナ３２からデコーダ２７ｃへテレビ信号（コンポジットビデオ信号）が入力されている時に、当該ラジオ受信器１０のチューナ１２ａからデコーダ２７ａへＶＩＣＳ信号を入力するように指示された場合に、車載ナビゲーション装置２０におけるチューナ管理部２８からデコード用信号「ＯＦＦ」指示（デコーダ２７ａへの入力信号（ＶＩＣＳ信号）を「ＯＦＦ」状態にさせる指示）が出力されることとなる。
【００７２】
ここで、指示受付部１３ａは、チューナ管理部２８からデコード用信号「ＯＦＦ」指示（デコーダ２７ａへの入力信号（ＶＩＣＳ信号）を「ＯＦＦ」状態にする指示）を受け付けたならば（ステップＳ３０１「ＯＦＦ」）、かかるデコード用信号「ＯＦＦ」指示をチューナ１２ａに対する「周波数設定処理」の動作指示として解釈して受け付ける（ステップＳ３０２）。そして、周波数設定部１３ｂは、指示受付部１３ａによって「周波数設定処理」の動作指示を受けて、チューナ１２ａが検波する信号の周波数を無線放送が受信できない周波数（例えば、「７５.６Ｍｈｚ」）に設定する（ステップＳ３０３）。
【００７３】
一方、チューナ管理部２８からデコード用信号「ＯＮ」指示（デコーダ２７への入力信号を「ＯＮ」状態にする指示）を受け付けた場合（ステップＳ３０１「ＯＮ」）、デコード用信号「ＯＦＦ」指示を受け付けるまで待機受付する。
【００７４】
続いて、ＲＦ信号利得制御部１３ｃは、定常時のＲＦ信号の利得に比較してＲＦ信号の利得を低くするように制御する（ステップＳ３０４）。具体的には、チューナ１２ａにおいてＲＦ信号の増幅率を落としてアンテナ１１の感度を低くして、ＲＦ信号に伴って増幅される妨害波の増幅を軽減する。
【００７５】
なお、上記のステップＳ３０３およびＳ３０４の処理（周波数設定処理およびＲＦ信号利得制御処理）は、チューナ管理部２８からデコード用信号「ＯＮ」指示（デコーダ２７ａへの入力信号を「ＯＮ」状態にする指示）を受け付けるまで、継続して行われることとなる。
【００７６】
上述してきたように、本実施例２に係るラジオ受信器によれば、当該ラジオ受信器１０における複数のチューナ１２から出力されるデコード用信号が相互に干渉する場合のみに、本発明の適用範囲を限定することなく、他の機器（本実施例２では、テレビ受信器３０）のチューナ３２からデコーダ２７ｃへ入力されるデコード用信号（テレビ信号）と多重信号（コンポジット信号またはＶＩＣＳ信号）が相互に干渉する場合に本発明を適用したとしても、同様の効果を得ることが可能になる。
【実施例３】
【００７７】
さて、これまで本発明の実施例１および２について説明したが、本発明は上述した実施例１および２以外にも、上記特許請求の範囲に記載した技術的思想の範囲内において種々の異なる実施例にて実施されてもよいものである。
【００７８】
例えば、本実施例２では、デコーダ２７ａへの入力信号（ＶＩＣＳ信号）を「ＯＦＦ」状態にする場合に本発明を適用した場合について説明したが、本発明はこれに限定されるものではなく、デコーダ２７ｃへの入力信号（テレビ信号）を「ＯＦＦ」状態にする場合についても同様に適用することができる（図４参照）。
【００７９】
すなわち、テレビ受信器３０において、ＣＰＵ３３における指示受付部３３ａは、テレビ受信器３０におけるチューナ３２からデコーダ２７ｃへテレビ信号（コンポジットビデオ信号）が入力されている時に、ラジオ受信器１０のチューナ１２ａからデコーダ２７ａへ多重信号（ＶＩＣＳ信号）を入力するように指示された場合に、チューナ管理部２８からデコード用信号「ＯＦＦ」指示（デコーダ２７ｃへの入力信号を「ＯＦＦ」状態にする指示）を受けて、かかるデコード用信号「ＯＦＦ」指示をチューナ３２に対する「周波数設定処理」の動作指示と解釈する。
【００８０】
そして、周波数設定部３３ｂは、指示受付部３３ａによって「周波数設定処理」の動作指示を受け付けた場合に、チューナ３２が検波する信号の周波数を他のチューナによって検波されるデコード用信号と干渉しない周波数に設定する。具体的には、チューナ３２が検波する信号の周波数を多重信号が含まれない周波数帯域（多重信号が含まれない無線放送が行われている周波数帯域）に設定する。このようにして、多重信号が含まれない無線放送の受信を許容しつつ、検波する信号の周波数を他のチューナによって検波されるデコード用信号と相互に干渉しない周波数に設定することができるようにしている。また、車載ナビゲーション装置２０から自車が走行中の地域におけるテレビチャンネル情報を受信して、チューナ３２が検波する信号の周波数を無線放送が行われていない周波数帯域に設定するようにしても良い。
【００８１】
また、周波数設定部３３ｂは、チューナ３２が検波する信号の周波数を無線放送が受信できない周波数帯域（例えば、「ＶＨＦ  Ｉ」および「ＶＨＦ  ＩＩ」の周波数帯域である９０．０ＭＨｚ〜１０８．０ＭＨｚおよび１７０．０ＭＨｚ〜２２２．０ＭＨｚ以外の周波数帯域）に設定する。このように、検波する信号の周波数を無線放送が受信できない周波数帯域に設定すれば、他のデコード用信号と相互に干渉することが在り得ないため、テレビ受信器３０においても、検波する信号の周波数を一元的に設定することが可能になる。
【００８２】
また、本実施例１および２では、車載ナビゲーション装置２０におけるチューナ管理部２８からデコード用信号「ＯＦＦ」指示（デコーダ２７への入力信号を「ＯＦＦ」状態にする指示）を受けて、かかるデコード用信号「ＯＦＦ」指示（デコーダ２７への入力信号を「ＯＦＦ」状態にする指示）を「周波数設定処理」の動作指示と解釈するラジオ受信器について説明したが、本発明はこれに限定されるものではなく、複数のチューナから出力されるデコード用信号が相互に干渉するか否かを監視し、デコード用信号が相互に干渉すると検知された場合に、少なくとも一つのチューナに対して、該チューナが検波する信号の周波数を他のチューナによって検波されるデコード用信号と干渉しない周波数に設定するように指示するチューナ管理装置（車載ナビゲーション装置）を用いても良い。
【００８３】
例えば、チューナ１２ａからデコーダ２７ａへ音声信号が入力されている時に、チューナ１２ｂからデコーダ２７ｂへ多重信号が入力されるように指示がなされたケース（実施例１と同様のケース）を想定する。この時、車載ナビゲーション装置（チューナ管理装置）２０は、図５に示すように、チューナ管理部２８によってチューナ１２からのデコード用信号が相互に干渉すると検知された場合に、ＣＰＵ１３に対して、チューナ１２ｂが検波する信号の周波数をチューナ１２ａによって検波されるデコード用信号と干渉しない周波数に設定するように指示する検波周波数設定指示部２８ａを備える。
【００８４】
つまり、チューナ管理部２８によってチューナ１２からのデコード用信号が相互に干渉すると検知された場合に、検波周波数設定指示部２８ａにおいて、デコード用信号「ＯＦＦ」指示（デコーダ２７ｂへの入力信号を「ＯＦＦ」状態にする指示）に代えて、デコーダ２７への入力信号を「ＯＦＦ」状態にすべきチューナ１２ｂに対して、設定すべき周波数（多重信号が含まれない周波数帯域、または、無線放送が受信できない周波数帯域）を指示することで、既存のチューナの構成を変更せずともデコーダへの入力信号を「ＯＦＦ」状態にする選択スイッチを不要化し、もってコスト削減を図ることが可能になる。
【００８５】
本実施例１および２では、多重信号（コンポジット信号）が他のデコード用信号と干渉し得る状況として、ラジオ受信器が２つのチューナを具備するとしたとき、一方のチューナからデコーダへ音声信号が入力され、もう一方のチューナからデコーダへ多重信号が入力されると干渉する「ケース」、および、テレビ受信器のチューナからデコーダへテレビ信号（コンポジットビデオ信号）が入力され、ラジオ受信器のチューナからデコーダへＶＩＣＳ信号が入力されると干渉する「ケース」に本発明を適用する場合について説明したが、本発明はこれに限定されるものではなく、車載ナビゲーション装置（チューナ管理装置）２０側からの要求に基づいてデコード用信号「ＯＦＦ」指示がなされるケースについても同様に適用することができる。
【００８６】
また、本実施例１および２では、「ラジオ受信器」および／または「テレビ受信器」に本発明を適用した場合について説明したが、本発明はこれに限定されるものではなく、他の機器のチューナからのデコード用信号に対して多重信号（コンポジット信号またはＶＩＣＳ信号）が干渉する場合についても、同様に適用することが可能である。例えば、ラジオ受信器のチューナから出力される多重信号（コンポジット信号）が「ディスプレイ」や「ＥＴＣ」にノイズ干渉する場合であれば、ラジオ受信器におけるチューナが検波する信号の周波数を多重信号が含まれない周波数帯域、または、無線放送が受信できない周波数帯域に設定することで、デコーダへの入力信号を「ＯＦＦ」状態にするラジオ受信器の選択スイッチを不要化することが可能になる。
【００８７】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００８８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【００８９】
以上のように、本発明にかかる受信装置、チューナおよびチューナ管理装置は、受信電波から所望の周波数のデコード用信号を検波する複数のチューナを備えた受信装置、受信電波から所望の周波数のデコード用信号を検波するチューナ、および、複数のチューナから出力されるデコード用信号を統括して管理するチューナ管理装置に有用であり、特に、デコーダへの入力信号（多重信号）をオフ状態にする選択スイッチを不要化し、もってコスト削減を図ることができる受信装置、チューナおよびチューナ管理装置に適している。
【図面の簡単な説明】
【００９０】
【図１】本実施例１に係る受信装置の構成を示す機能ブロック図である。
【図２】ＦＭ多重放送の周波数スペクトラムを示す図である。
【図３】本実施例１に係る周波数設定処理の手順を示すフローチャートである。
【図４】本実施例２に係る受信装置の構成を示す機能ブロック図である。
【図５】本発明に係る受信装置の変形例を説明するための説明図である。
【符号の説明】
【００９１】
１    受信装置
１０    ラジオ受信器
１１    アンテナ
１２ａ、１２ｂ  チューナ
１３    ＣＰＵ
１３ａ  指示受付部
１３ｂ  周波数設定部
１３ｃ  ＲＦ信号利得制御部
２０    車載ナビゲーション装置
２１    入力部
２２    音声出力制御部
２３    音声出力部
２４    表示制御部
２５    表示部
２６    主制御部
２７ａ、２７ｂ、２７ｃ  デコーダ
２８    チューナ管理部
２８ａ  検波周波数設定指示部
３０    テレビ受信器
３１    アンテナ
３２    チューナ
３３    ＣＰＵ
３３ａ  指示受付部
３３ｂ  周波数設定部
３３ｃ  ＲＦ信号利得制御部
【図１】
2005184534.tif 000003
【図２】
2005184534.tif 000004
【図３】
2005184534.tif 000005
【図４】
2005184534.tif 000006
【図５】
2005184534.tif 000007